(57)【要約】【課題】より簡便にフィルタ及び油の受け部材を清浄な状態に維持できるレンジフードを提供すること。【解決手段】空気を吸引して外部に排出するレンジフード１０であって、レンジフード１０内の空気の流路上に設けられる回転可能な盤状のフィルタ２と、フィルタ２の周縁部に設けられる油受部３とを備え、油受部３はフィルタ２とともに回転可能とされることを特徴とするレンジフード１０である。油受部３は、フィルタ２の外周縁２１から下方に延びる受け面３１を備えてなる。【選択図】図２
2015152269.tif 000002
【特許請求の範囲】
【請求項１】
空気を吸引して外部に排出するレンジフードであって、
前記レンジフード内の空気の流路上に設けられる回転可能な盤状のフィルタと、
前記フィルタの周縁部に設けられる油受部とを備え、
前記油受部は、前記フィルタとともに回転可能とされることを特徴とするレンジフード。
【請求項２】
前記油受部は、前記フィルタの外周縁から下方に延びる受け面を備えてなることを特徴とする請求項１に記載のレンジフード。
【請求項３】
前記油受部は、前記受け面の下端部から前記フィルタの内周方向に延びる底面と、該底面の内周端部から上方に延びる内側面と、を備え、前記内側面の上端から外周方向に延び、前記フィルタとの間に間隔を介して設けられる上面とを備えたことを特徴とする請求項２に記載のレンジフード。
【請求項４】
前記上面の外周端は、さらに内周方向に向かって延びる傾斜面を備えたことを特徴とする請求項３に記載のレンジフード。
【発明の詳細な説明】
【技術分野】
【０００１】
本発明は、レンジフードに関する。詳しくは、台所等で油分を含んだ空気を吸引して外部に排気するレンジフードに関する。
【背景技術】
【０００２】
従来、調理施設や台所等の調理を行う場所には、油分を含んだ空気を吸引して外部へ排気するため、内部に換気扇を備えたレンジフードが配置されている。レンジフードは、油分を含んだ空気から油分を分離して、空気を通過させるフィルタを備えている。このフィルタとして、空気を透過可能な円盤状のフィルタをレンジフードに取り付け、フィルタを回転させることにより外側へ移動した油分を捕集して収容する油受部を、フィルタの周縁部に配置することが知られている（特許文献１参照）。
【先行技術文献】
【特許文献】
【０００３】
【特許文献１】特開２０１３−１３９９４６号公報
【発明の概要】
【発明が解決しようとする課題】
【０００４】
特許文献１に記載のレンジフードでは、フィルタ及び油受部が着脱可能であり、取り外して洗浄できるように構成されている。しかしながら、フィルタと油受部はそれぞれ別個にレンジフードに取り付けられており、取り外す場合も別個に取り外す必要があった。
【０００５】
本発明は、より簡便にフィルタ及び油受部を清浄な状態に維持できるレンジフードを提供することを目的とする。
【課題を解決するための手段】
【０００６】
上記目的を達成するため本発明は、空気を吸引して外部に排出するレンジフード（例えば、後述のレンジフード１０）であって、前記レンジフード内の空気の流路上に設けられる回転可能な盤状のフィルタ（例えば、後述のフィルタ２）と、前記フィルタの周縁部に設けられる油受部（例えば、後述の油受部３）とを備え、前記油受部は、前記フィルタとともに回転可能とされることを特徴とするレンジフードを提供する。
【０００７】
本発明では、レンジフードを、レンジフード内の空気の流路上に設けられる回転可能な盤状のフィルタと、フィルタの周縁部に設けられる油受部とを含んで構成する。また、油受部を、前記フィルタとともに回転可能に構成する。
【０００８】
本発明によれば、油受部がフィルタとともに回転可能に構成される。即ち、油受部とフィルタを一体化できるため、フィルタに油分が付着して油受部に油が多く貯留された場合に、フィルタ及び油受部を一度に取り外すことができる。このため、より簡便にフィルタ及び油受部を清浄な状態に維持できる。
【０００９】
前記油受部は、前記フィルタの外周縁から下方に延びる受け面（例えば、後述の外側面３１）を備えてなることを特徴とすることが好ましい。
【００１０】
この発明では、油受部を、フィルタの外周縁から下方に延びる受け面を含んで構成する。これにより、回転するフィルタに係る遠心力により、フィルタの中心側から外周縁側へ移動する油分を、受け面により受け止めて、効率良く捕集することができる。
【００１１】
前記油受部は、前記受け面の下端部から前記フィルタの内周方向に延びる底面（例えば、後述の底面部３３）と、該底面の内周端部から上方に延びる内側面（例えば、後述の内側面３２）と、を備え、前記内側面の上端から外周方向に延び、前記フィルタとの間に間隔を介して設けられる上面（例えば、後述の返し部３４）とを備えたことを特徴とすることが好ましい。
【００１２】
この発明では、油受部を、受け面の下端部からフィルタの内周方向に延びる底面と、底面の内周端部から上方に延びる内側面と、を含んで構成する。また、油受部を、内側面の上端から外周方向に延び、フィルタとの間に間隔を介して設けられる上面を含んで構成する。これにより、油受部がフィルタとともに回転しても、油受部の底面側に収容される油分が、油受部の上面により覆われるため、こぼれにくくなる。
【００１３】
前記上面の外周端は、さらに内周方向に向かって延びる傾斜面を備えることが好ましい。
【００１４】
この発明では、上面の外周端に、さらに内周方向に向かって延びる傾斜面を含んで構成する。これにより、油受部の底面側に収容される油分が、油受部の上面及び傾斜面により覆われるため、さらにこぼれにくくなる。
【発明の効果】
【００１５】
本発明によれば、より簡便にフィルタ及び油受部を清浄な状態に維持できるレンジフードの油分回収装置を提供することができる。
【図面の簡単な説明】
【００１６】
【図１】第１実施形態のレンジフードの概略図である。
【図２】第１実施形態の油分除去装置の斜視図である。
【図３】第１実施形態の油分除去装置の部分断面概略図である。
【図４】第２実施形態の油分除去装置の部分断面概略図である。
【発明を実施するための形態】
【００１７】
以下、本発明の第１実施形態について、図面を参照しながら詳しく説明する。
図１は、本実施形態に係るレンジフード１０の概略図である。図１に示すように、レンジフード１０は、集煙口１１と、排煙口１２と、油分除去装置１と、送風機ユニット５と、フード本体６と、整流板７と、を備える。
【００１８】
集煙口１１は、レンジフード１０の下部に配置される開口部であり、調理の際に排出される油分を含んだ空気をレンジフード１０に吸引するものである。
排煙口１２は、集煙口１１に対向する上部に配置され、ダクト１３を介して吸引した空気を外部へ排出する開口部である。集煙口１１から排煙口１２へ、レンジフード１０内には空気の流路が形成されている。
【００１９】
送風機ユニット５は、内部にファン５０を有し、ファン５０を回転させる機構である。ファン５０の回転により、空気が吸引されて外部に排出される。
【００２０】
フード本体６は、送風機ユニット５の下方に配置される。フード本体６は、開口部６１と、駆動源６２と、を有する。フード本体６の下方には、集煙口１１が配置されている。
開口部６１は、フード本体６の上部に形成され、送風機ユニット５と連通する。開口部６１は、略円形である。
駆動源６２は、開口部６１の略中央に配置される。具体的には、駆動源６２は、フード本体６から支持される支持部（図示せず）を介して設置されている。
【００２１】
整流板７は、フード本体６の下方の集煙口１１に配置され、集煙口１１から吸引される空気をフード本体６の開口部の方へ導く。
【００２２】
油分除去装置１は、レンジフード１０内の空気の流路上に設けられている。具体的には油分除去装置１は、フード本体６の開口部６１に取り付けられている。油分除去装置１は、使用時には駆動源６２により駆動されて回転する。油分除去装置１は、フィルタ２と、油受部３と、を備える。
【００２３】
図２は、本実施形態の油分除去装置１の斜視分解図である。
図２に示すように、フィルタ２は、円盤状に形成され、中心から外周側に至る空気を透過する薄い面により構成される。フィルタ２は、外周縁２１と、連結部２２と、複数の貫通孔２３と、取付け孔２４と、を有する。
【００２４】
外周縁２１は、フィルタ２の外周に沿う円形の縁である。外周縁２１は、油分除去装置１の外縁の上面部である。
取付け孔２４は、フィルタ２の中心に配置される円形の孔である。取付け孔２４を介して、油分除去装置１が駆動源６２に連結される。
連結部２２は、取付け孔２４から外周縁２１に向かって略十字状に延びる細長い帯状の部分である。連結部２２は、渦巻き状に回転する回転方向に沿って緩やかに湾曲している。連結部２２と連結部２２との間には、連結部２２よりも細い幅で構成される格子部２２１が形成されており、格子部２２１も連結部２２の湾曲に沿って緩やかに湾曲している。
複数の貫通孔２３は、格子部２２１の間に形成される孔である。
【００２５】
図３は本実施形態の油分除去装置１の油受部３の部分断面概略図である。
油受部３は、フィルタ２の外周縁２１の下方に、フィルタ２と一体に成形され、フィルタ２とともに回転する。油受部３は、受け面としての外側面３１と、内側面３２と、底面としての底面部３３と、上面としての返し部３４と、傾斜面３５と、窓部３６と、油分収容部３７と、を有する。
外側面３１は、フィルタ２の外周縁２１から下方に延び、油受部３の厚さ方向の外壁を構成している。
底面部３３は、フィルタ２の外周縁２１に対向し、外側面３１の下端部から内周方向へ延びる面である。
内側面３２は、底面部３３の内周端部から上方へ延び、外側面３１に対向して配置される壁面である。内側面３２は、油受部３の周縁に沿って油受部３の内縁に立設され、外側面３１よりも高さが低く形成される。
返し部３４は、内側面３２の上端を基端として、底面部３３と平行に外周方向の外側面３１側へ向かって延びる。返し部３４は、フィルタ２の下面との間に間隔を介して設けられている。返し部３４の外側の端部である外周端３４ａは、外側面３１よりも内周側に位置しており、油受部３の上方から底面部３３へ連通する通路３８が形成されている。
傾斜面３５は、返し部３４の外周端３４ａから内周方向に向かって傾斜し、フィルタ２における外周縁２１の裏面に接合される面である。
窓部３６は、傾斜面３５に形成される貫通孔である。窓部３６は、傾斜面３５の周面に沿って、所定間隔を開けて複数配置されている。
油分収容部３７は、外側面３１と、内側面３２と、底面部３３と、返し部３４と、により構成される。油分収容部３７は、返し部３４の外周端３４ａから上方に向かって連通している通路３８を開口とする容器状に構成されている。油分収容部３７は、油分を収容する溝である。
【００２６】
以上の油分除去装置１は、使い捨てカートリッジ式に構成される。使い捨て可能な素材としては、ポリエチレン、ポリプロピレン、ポリスチレン、ポリ塩化ビニル等の樹脂を用いてよい。
【００２７】
次に、油分除去装置１を備えるレンジフード１０の使用の状態について説明する。図１に戻って、調理等により排出される油分を含んだ空気は、温度が高いため上方へ移動する。この油分を含んだ空気は、ファン５０の回転により吸引され、整流板７の外側からフード本体６の内部へ流通し、フード本体６の開口部６１を介して上方へ流通する。
【００２８】
フード本体６の開口部６１には、駆動源６２が配置されている。この駆動源６２により駆動されて、油分除去装置１が空気の吸引方向を回転軸として回転する。
フィルタ２は、連結部２２及び格子部２２１と、貫通孔２３とを有している。このため、油分を含んだ空気がフィルタ２を通過する際に、油分は連結部２２及び格子部２２１に衝突して、遠心力によりフィルタ２の外周縁２１側へ移動する。このように、フィルタ２は、吸引した空気から油分を分離し、油分が除去された空気は、貫通孔２３を通過してファン５０に吸引される。
【００２９】
図３の矢印に示されるように、フィルタ２の回転による遠心力で滴下される油分は、油分除去装置１の外側へ移動して、外周縁２１の下方に配置されている油受部３に捕集される。具体的には、油分は、フィルタ２の連結部２２及び格子部２２１の下面を伝い、外周縁２１の下方に形成されている傾斜面３５の窓部３６を通過して、外側面３１につき当たる。外側面３１に当たった油分は、外側面３１を下方へ移動して油分収容部３７に収容される。油分収容部３７は、内側面３２及び底面部３３に対して蓋をするように配置されている返し部３４を有する。また、油分収容部３７の上方には、返し部３４の外周端３４ａから外周縁２１の裏面へ連続する傾斜面３５が形成されている。このため、油分除去装置１が回転していても、収容される油分が溢れたりこぼれることが防止される。
【００３０】
台所等で排出される油分を含んだ空気から油分を分離して空気を排気していくと、油分除去装置１に油分が付着し、油分収容部３７に油分が貯留する。そこで、使用後の油分除去装置１をレンジフード１０から取り外して廃棄する。油分除去装置１は、使い捨て可能な素材で構成されているため、新たな油分除去装置１と交換される。
【００３１】
第１実施形態によれば、以下の効果が奏される。
本実施形態では、レンジフード１０を、レンジフード１０内の空気の流路上に設けられる回転可能な盤状のフィルタ２と、フィルタ２の周縁部に設けられる油受部３とを含んで構成した。また、油受部３をフィルタ２とともに回転可能に構成した。
【００３２】
本実施形態によれば、油受部３をフィルタ２とともに回転可能に構成した。即ち、油受部３とフィルタ２を一体化できるため、フィルタ２に油分が付着して油受部３に油が多く貯留された場合に、フィルタ２及び油受部３を一度に取り外すことができる。このため、より簡便にフィルタ２及び油受部３を清浄な状態に維持できる。
【００３３】
また本実施形態では、油受部３を、フィルタ２の外周縁２１から下方に延びる外側面３１を含んで構成した。これにより、回転するフィルタ２に係る遠心力により、フィルタ２の中心側から外周縁側へ移動する油分を、外側面３１により受け止めて、効率良く捕集することができる。
【００３４】
また本実施形態では、油受部３を、外側面３１の下端部からフィルタ２の内周方向に延びる底面部３３と、底面部の内周端部から上方に延びる内側面３２と、を含んで構成した。また、油受部３を、内側面３２の上端から外周方向に延び、フィルタ２との間に間隔を介して設けられる返し部３４を含んで構成した。これにより、油受部３がフィルタ２とともに回転しても、油受部３の底面部３３側に収容される油分が、油受部３の返し部３４により覆われるため、こぼれにくくなる。
【００３５】
本実施形態では、返し部３４の外周端３４ａに、さらに内周方向に向かって延びる傾斜面３５を含んで構成した。これにより、油受部３の底面部３３側に収容される油分が、油受部３の返し部３４及び傾斜面３５により覆われるため、さらにこぼれにくくなる。
【００３６】
次に、本発明の第２実施形態について、図面を参照しながら詳しく説明する。第２実施形態の説明において、第１実施形態と共通する部分は、その説明を省略又は簡略化する。特に説明されない構成は、第１実施形態と同様である。また、図面において第１実施形態と共通するものにおいては第１実施形態と共通する符号を用いる。
【００３７】
図４は、第２実施形態の油分除去装置１Ａの部分断面概略図である。
図４に示すように、第２実施形態では、油受部３Ａが、傾斜面３５及び窓部３６を有さない点で第１実施形態と異なる。
返し部３４の外周端３４ａは、自由端となっている。このため、フィルタ２の内周側から外側面３１の内面までの間に連通する上部空間３９が形成される。また、この上部空間３９と油分収容部３７とが、通路３８を介して連通している。
【００３８】
第２実施形態によれば、第１実施形態の効果と同様の効果が奏されるとともに、傾斜面３５及び窓部３６を有さないため、製造が簡易になる。
【００３９】
なお、本発明は上記実施形態に限定されるものではなく、本発明の目的を達成できる範囲での変形、改良等は本発明に含まれる。
第１実施形態では、油受部３が第２実施形態では傾斜面３５及び窓部３６を有し、第２実施形態では、油受部３Ａが傾斜面３５及び窓部３６を有していないが、これに限られない。例えば、油受部は、返し部を有さず、油分収容部が外側面と、内側面と、底面部により構成されてもよい。この構成によれば、製造がさらに簡易になる。
【符号の説明】
【００４０】
２      フィルタ
３      油受部
１０    レンジフード
３１    外側面（受け面）
３２    内側面
３３    底面部（底面）
３４    返し部（上面）
３４ａ  外周端
３５    傾斜面
【図１】
2015152269.tif 000003
【図２】
2015152269.tif 000004
【図３】
2015152269.tif 000005
【図４】
2015152269.tif 000006